【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
原稿を読み取る読取部を有する画像形成装置と、前記画像形成装置と通信可能なサーバ装置とを含む印刷システムであって、
前記画像形成装置は、
前記読取部で読み取られた原稿に関する画像を前記サーバ装置に送信する画像送信手段と、
前記サーバ装置で印刷指示された合成データの印刷を実行する印刷実行手段と、
を有し、
前記サーバ装置は、
前記画像形成装置より前記画像を受信する画像受信手段と、
前記画像受信手段で受信された前記画像から特定されるマスキング領域をマスキングするマスキング実行手段と、
前記マスキング実行手段でマスキングされた画像と合成するためのフォームデータを取得するデータ取得手段と、
前記マスキング実行手段でマスキングされた画像と前記合成するためのフォームデータとを合成した合成データを生成する生成手段と、
前記生成手段で生成された前記合成データを前記画像形成装置で印刷すべく印刷指示する印刷指示手段と、
を有することを特徴とする印刷システム。
【請求項２】
前記サーバ装置は、
前記画像の住所に関する領域の文字列を取得する文字列取得手段と、
前記文字列取得手段で取得された文字列が所定の文字列か否かを判定する判定手段と、
を更に有し、
前記マスキング実行手段は、前記判定手段で所定の文字列でないと判定された場合、前記画像の本籍に関する第１の領域をマスキング領域としてマスキングし、前記判定手段で所定の文字列であると判定された場合、前記画像の本籍に関する第１の領域をマスキング領域とせずにマスキングすることを特徴とする請求項１に記載の印刷システム。
【請求項３】
前記画像形成装置は、
前記原稿の片面読み取り、又は両面読み取りの設定を行う読取面設定手段を更に有し、
前記画像送信手段は、前記読取面設定手段で設定された読み取りの設定に応じて前記読取部で読み取られた前記原稿に関する画像を前記サーバ装置に送信することを特徴とする請求項１又は２に記載の印刷システム。
【請求項４】
前記画像形成装置は、
前記読取面設定手段で両面読み取りの設定がなされた場合、前記原稿の裏面の画像をマスキングするための第２の領域を指定するための画像を表示する表示手段と、
前記前記原稿の裏面の画像をマスキングするための第２の領域を指定するマスキング領域指定手段と、
前記マスキング領域指定手段で指定した第２の領域を前記サーバ装置に送信するマスキング領域送信手段と、
を更に有し、
前記サーバ装置は、
前記マスキング領域送信手段によって送信された前記第２の領域を受信するマスキング領域受信手段を更に有し、
前記マスキング実行手段は、前記第２の領域をマスキング領域としてマスキングすることを特徴とする請求項３に記載の印刷システム。
【請求項５】
前記画像形成装置は、
読み取られた画像の種類に関する種類情報を前記サーバ装置に提供する種類情報提供手段を更に有し、
前記サーバ装置は、
前記画像形成装置より前記種類情報を受け取る種類情報受取手段を更に有し、
前記マスキング実行手段は、前記種類情報受取手段で受け取られた前記画像の前記種類情報に従って特定されたマスキング領域でマスキングすることを特徴とする請求項１乃至４の何れか１項に記載の印刷システム。
【請求項６】
ネットワークを介してサーバ装置と通信可能な原稿を読み取る読取部を有する画像形成装置であって、
原稿の片面読み取り、又は両面読み取りの設定を行う読取面設定手段と、
前記読取面設定手段で設定された片面読み取り、又は両面読み取りの設定の設定を送信する読取面設定送信手段と、
前記読取部で読み取られた前記原稿に関する画像を前記サーバ装置に送信する画像送信手段と、
前記読取面設定送信手段で送信された片面読み取り、又は両面読み取りの設定に従ってマスキングされた前記画像とフォームデータとによって合成された合成データを受信する受信手段と、
前記受信手段で受信された合成データの印刷を実行する印刷実行手段と、
を有することを特徴とする画像形成装置。
【請求項７】
原稿を読み取る読取部を有する画像形成装置と通信可能なサーバ装置であって、
前記読取部で読み取られた原稿に関する画像を受信する画像受信手段と、
前記画像受信手段で受信された前記画像から特定されるマスキング領域をマスキングするマスキング実行手段と、
前記マスキング実行手段でマスキングされた画像と合成するためのフォームデータを取得するデータ取得手段と、
前記マスキング実行手段でマスキングされた画像と前記合成するためのフォームデータとを合成した合成データを生成する生成手段と、
前記生成手段で生成された前記合成データを前記画像形成装置で印刷すべく印刷指示する印刷指示手段と、
を有することを特徴とするサーバ装置。
【請求項８】
原稿を読み取る読取部を有する画像形成装置と、前記画像形成装置と通信可能なサーバ装置とを含む印刷システムにおける印刷方法であって、
前記画像形成装置が、前記読取部で読み取られた原稿に関する画像を前記サーバ装置に送信する画像送信ステップと、
前記画像形成装置が、前記サーバ装置で印刷指示された合成データの印刷を実行する印刷実行ステップと、
前記サーバ装置が、前記画像形成装置より前記画像を受信する画像受信ステップと、
前記サーバ装置が、前記画像受信ステップで受信された前記画像から特定されるマスキング領域をマスキングするマスキング実行ステップと、
前記サーバ装置が、前記マスキング実行ステップでマスキングされた画像と合成するためのフォームデータを取得するデータ取得ステップと、
前記サーバ装置が、前記マスキング実行ステップでマスキングされた画像と前記合成するためのフォームデータとを合成した合成データを生成する生成ステップと、
前記サーバ装置が、前記生成ステップで生成された前記合成データを前記画像形成装置で印刷すべく印刷指示する印刷指示ステップと、
を有することを特徴とする印刷方法。
【請求項９】
ネットワークを介してサーバ装置と通信可能な原稿を読み取る読取部を有する画像形成装置が実行する印刷方法であって、
原稿の片面読み取り、又は両面読み取りの設定を行う読取面設定ステップと、
前記読取面設定ステップで設定された片面読み取り、又は両面読み取りの設定の設定を送信する読取面設定送信ステップと、
前記読取部で読み取られた前記原稿に関する画像を前記サーバ装置に送信する画像送信ステップと、
前記画像とフォームデータとによって合成された合成データを受信する受信ステップと、
前記受信ステップで受信された合成データの印刷を実行する印刷実行ステップと、
を有することを特徴とする印刷方法。
【請求項１０】
原稿を読み取る読取部を有する画像形成装置と通信可能なサーバ装置が実行する印刷方法であって、
前記読取部で読み取られた原稿に関する画像を受信する画像受信ステップと、
前記画像受信ステップで受信された前記画像から特定されるマスキング領域をマスキングするマスキング実行ステップと、
前記マスキング実行ステップでマスキングされた画像と合成するためのフォームデータを取得するデータ取得ステップと、
前記マスキング実行ステップでマスキングされた画像と前記合成するためのフォームデータとを合成した合成データを生成する生成ステップと、
前記生成ステップで生成された前記合成データを前記画像形成装置で印刷すべく印刷指示する印刷指示ステップと、
を有することを特徴とする印刷方法。
【請求項１１】
原稿を読み取る読取部を有する画像形成装置と、前記画像形成装置と通信可能なサーバ装置とを含む印刷システムで実行可能なプログラムあって、
前記画像形成装置を、
前記読取部で読み取られた原稿に関する画像を前記サーバ装置に送信する画像送信手段と、
前記サーバ装置で印刷指示された合成データの印刷を実行する印刷実行手段と
して機能させ、
前記サーバ装置を、
前記画像形成装置より前記画像を受信する画像受信手段と、
前記画像受信手段で受信された前記画像から特定されるマスキング領域を
マスキングするマスキング実行手段と、
前記マスキング実行手段でマスキングされた画像と合成するためのフォームデータを取得するデータ取得手段と、
前記マスキング実行手段でマスキングされた画像と前記合成するためのフォームデータとを合成した合成データを生成する生成手段と、
前記生成手段で生成された前記合成データを前記画像形成装置で印刷すべく印刷指示する印刷指示手段と
して機能させることを特徴とするプログラム。
【請求項１２】
ネットワークを介してサーバ装置と通信可能な原稿を読み取る読取部を有する画像形成装置で実行可能なプログラムであって、
前記画像形成装置を、
原稿の片面読み取り、又は両面読み取りの設定を行う読取面設定手段と、
前記読取面設定手段で設定された片面読み取り、又は両面読み取りの設定の設定を送信する読取面設定送信手段と、
前記読取部で読み取られた前記原稿に関する画像を前記サーバ装置に送信する画像送信手段と、
前記読取面設定送信手段で送信された片面読み取り、又は両面読み取りの設定に従ってマスキングされた前記画像とフォームデータとによって合成された合成データを受信する受信手段と、
前記受信手段で受信された合成データの印刷を実行する印刷実行手段と
して機能させることを特徴とするプログラム。
【請求項１３】
原稿を読み取る読取部を有する画像形成装置と通信可能なサーバ装置で実行可能なプログラムであって、
前記サーバ装置を、
前記読取部で読み取られた原稿に関する画像を受信する画像受信手段と、
前記画像受信手段で受信された前記画像から特定されるマスキング領域をマスキングするマスキング実行手段と、
前記マスキング実行手段でマスキングされた画像と合成するためのフォームデータを取得するデータ取得手段と、
前記マスキング実行手段でマスキングされた画像と前記合成するためのフォームデータとを合成した合成データを生成する生成手段と、
前記生成手段で生成された前記合成データを前記画像形成装置で印刷すべく印刷指示する印刷指示手段と
して機能させることを特徴とするプログラム。
【手続補正２】
【補正対象書類名】明細書
【補正対象項目名】０００７
【補正方法】変更
【補正の内容】
【０００７】
そこで、本発明は、原稿を読み取る読取部を有する画像形成装置と、前記画像形成装置と通信可能なサーバ装置とを含む印刷システムであって、前記画像形成装置は、前記読取部で読み取られた原稿に関する画像を前記サーバ装置に送信する画像送信手段と、前記サーバ装置で印刷指示された合成データの印刷を実行する印刷実行手段と、を有し、前記サーバ装置は、前記画像形成装置より前記画像を受信する画像受信手段と、前記画像受信手段で受信された前記画像から特定されるマスキング領域をマスキングするマスキング実行手段と、前記マスキング実行手段でマスキングされた画像と合成するためのフォームデータを取得するデータ取得手段と、前記マスキング実行手段でマスキングされた画像と前記合成するためのフォームデータとを合成した合成データを生成する生成手段と、前記生成手段で生成された前記合成データを前記画像形成装置で印刷すべく印刷指示する印刷指示手段と、を有することを特徴とする。
【手続補正３】
【補正対象書類名】明細書
【補正対象項目名】０００８
【補正方法】変更
【補正の内容】
【０００８】
また、本発明は、ネットワークを介してサーバ装置と通信可能な原稿を読み取る読取部を有する画像形成装置であって、原稿の片面読み取り、又は両面読み取りの設定を行う読取面設定手段と、前記読取面設定手段で設定された片面読み取り、又は両面読み取りの設定の設定を送信する読取面設定送信手段と、前記読取部で読み取られた前記原稿に関する画像を前記サーバ装置に送信する画像送信手段と、前記読取面設定送信手段で送信された片面読み取り、又は両面読み取りの設定に従ってマスキングされた前記画像とフォームデータとによって合成された合成データを受信する受信手段と、前記受信手段で受信された合成データの印刷を実行する印刷実行手段と、を有することを特徴とする。
【手続補正４】
【補正対象書類名】明細書
【補正対象項目名】０００９
【補正方法】変更
【補正の内容】
【０００９】
また、本発明は、原稿を読み取る読取部を有する画像形成装置と通信可能なサーバ装置であって、前記読取部で読み取られた原稿に関する画像を受信する画像受信手段と、前記画像受信手段で受信された前記画像から特定されるマスキング領域をマスキングするマスキング実行手段と、前記マスキング実行手段でマスキングされた画像と合成するためのフォームデータを取得するデータ取得手段と、前記マスキング実行手段でマスキングされた画像と前記合成するためのフォームデータとを合成した合成データを生成する生成手段と、前記生成手段で生成された前記合成データを前記画像形成装置で印刷すべく印刷指示する印刷指示手段と、を有することを特徴とする。
【手続補正５】
【補正対象書類名】明細書
【補正対象項目名】００１０
【補正方法】変更
【補正の内容】
【００１０】
また、本発明は、原稿を読み取る読取部を有する画像形成装置と、前記画像形成装置と通信可能なサーバ装置とを含む印刷システムにおける印刷方法であって、前記画像形成装置が、前記読取部で読み取られた原稿に関する画像を前記サーバ装置に送信する画像送信ステップと、前記画像形成装置が、前記サーバ装置で印刷指示された合成データの印刷を実行する印刷実行ステップと、前記サーバ装置が、前記画像形成装置より前記画像を受信する画像受信ステップと、前記サーバ装置が、前記画像受信ステップで受信された前記画像から特定されるマスキング領域をマスキングするマスキング実行ステップと、前記サーバ装置が、前記マスキング実行ステップでマスキングされた画像と合成するためのフォームデータを取得するデータ取得ステップと、前記サーバ装置が、前記マスキング実行ステップでマスキングされた画像と前記合成するためのフォームデータとを合成した合成データを生成する生成ステップと、前記サーバ装置が、前記生成ステップで生成された前記合成データを前記画像形成装置で印刷すべく印刷指示する印刷指示ステップと、を有することを特徴とする。
【手続補正６】
【補正対象書類名】明細書
【補正対象項目名】００１１
【補正方法】変更
【補正の内容】
【００１１】
また、本発明は、ネットワークを介してサーバ装置と通信可能な原稿を読み取る読取部を有する画像形成装置が実行する印刷方法であって、原稿の片面読み取り、又は両面読み取りの設定を行う読取面設定ステップと、前記読取面設定ステップで設定された片面読み取り、又は両面読み取りの設定の設定を送信する読取面設定送信ステップと、前記読取部で読み取られた前記原稿に関する画像を前記サーバ装置に送信する画像送信ステップと、前記画像とフォームデータとによって合成された合成データを受信する受信ステップと、前記受信ステップで受信された合成データの印刷を実行する印刷実行ステップと、を有することを特徴とする。
【手続補正７】
【補正対象書類名】明細書
【補正対象項目名】００１２
【補正方法】変更
【補正の内容】
【００１２】
また、本発明は、原稿を読み取る読取部を有する画像形成装置と通信可能なサーバ装置が実行する印刷方法であって、前記読取部で読み取られた原稿に関する画像を受信する画像受信ステップと、前記画像受信ステップで受信された前記画像から特定されるマスキング領域をマスキングするマスキング実行ステップと、前記マスキング実行ステップでマスキングされた画像と合成するためのフォームデータを取得するデータ取得ステップと、前記マスキング実行ステップでマスキングされた画像と前記合成するためのフォームデータとを合成した合成データを生成する生成ステップと、前記生成ステップで生成された前記合成データを前記画像形成装置で印刷すべく印刷指示する印刷指示ステップと、を有することを特徴とする。